(57)【要約】  梱包具は、第一の隆起部（１０３）と第二の隆起部（１０４）を有するベース（１１３）を備える。この梱包具は、また、端部（１０５）を備え、その各々は複数のスロット（１０６）と溝（１１２）を有する。各溝は第一の隆起部の一つを受容するようになっており、各スロットは第二の隆起部の一つを受容するようになっている。梱包具は、また、スリーブ（１０９）を備え、このスリーブはベース上であって第一及び第二の隆起部の外側に配置されるようになっている。スリーブ要素の少なくとも一部分及び端部の少なくとも一部分は波形材を含む。
2008515727.tif 000002
【特許請求の範囲】
【請求項１】
第一の隆起部および第二の隆起部を有するベース：
それぞれ複数のスロットおよび溝を有する端部；および
前記ベースの上、かつ、前記第一の隆起部の内側に配置されるようになっているスリーブ；
を含み、前記第一の隆起部が前記第二の隆起部に実質的に直角であり、前記溝の各々が前記第一の隆起部の一つを受容するようになっており、前記スロットの各々が前記第二の隆起部の一つを受容するようになっており、前記スリーブの少なくとも一部分及び前記端部の少なくとも一部分が波形材を含む梱包具。
【請求項２】
二つ以上の第三の隆起部および第四の隆起部を含むトップをさらに備え、前記第三の隆起部が前記第四の隆起部に実質的に直角である請求項１に記載の梱包具。
【請求項３】
さらに、別のトップ面を備える請求項２に記載の梱包具。
【請求項４】
前記第三及び第四の隆起部が前記トップ面に接着によって取り付けられている請求項２に記載の梱包具。
【請求項５】
さらに押え具を備え、当該押え具は前記第三の隆起部と実質的に平行な溝を含む請求項２に記載の梱包具。
【請求項６】
前記押え具の溝が前記第三の隆起部の一つを受容するようになっている請求項５に記載の梱包具。
【請求項７】
前記スリーブが前記ベースの第二の隆起部と実質的に平行である二つの側部をさらに備え、各側部が前記第二の隆起部の一つと係合するようになっている一つの溝を有する請求項１に記載の梱包具。
【請求項８】
前記端部がそれぞれ開口部を備え、当該開口部に芯体が突き出る請求項１に記載の梱包具。
【請求項９】
前記芯体の少なくとも一部分は中空である請求項６に記載の梱包具。
【請求項１０】
前記芯体は、当該芯体の内部に配置された輸送のための物品を含む請求項６に記載の梱包具。
【請求項１１】
さらにエンドキャップを備え、当該エンドキャップが前記芯体の端面を覆うようになっている請求項６に記載の梱包具。
【請求項１２】
前記エンドキャップがねじ、スナップ、又は締まりばめ手段の一つ以上を備える請求項１１に記載の梱包具。
【請求項１３】
前記芯体は、当該芯体の上に配置された輸送のための物品を有する請求項８に記載の梱包具。
【請求項１４】
前記芯体は、当該芯体の上及びその内部に配置された輸送のための物品を有する請求項６に記載の梱包具。
【請求項１５】
前記物品が前記芯体の周りに実質的に円筒形に巻かれている請求項１３に記載の梱包具。
【請求項１６】
前記端部がそれぞれ頂部および底部を有し、当該頂部および底部の両方にスロットおよび溝が存在する請求項２に記載の梱包具。
【請求項１７】
前記端部の頂部のスロットの各々が前記第三の隆起部の一つを受容するようになっている請求項１６に記載の梱包具。
【請求項１８】
前記端部の底部のスロットの各々が前記第一の隆起部の一つを受容するようになっている請求項１６に記載の梱包具。
【請求項１９】
前記端部の頂部の溝の各々が前記第四の隆起部の一つを受容するようになっている請求項１６に記載の梱包具。
【請求項２０】
前記端部の底部の溝の各々が前記第二の隆起部の一つを受容するようになっている請求項１６に記載の梱包具。
【請求項２１】
前記スリーブが、前記芯体の断面の形と実質的に合致する形の開口部をさらに備える請求項８に記載の梱包具。
【請求項２２】
前記スリーブが開口部をさらに備え、当該開口部が前記端部の開口部と共に実質的に円形の開口部を形成する請求項８に記載の梱包具。
【請求項２３】
前記波形材が、段ボール；波形プラスチック；波形プラスチックと木材の複合材；集成材；木材；プラスチック；複合材；及び金属のうちの一つ以上である請求項１に記載の梱包具。
【請求項２４】
前記梱包具の周りに配置される周辺拘束機構をさらに備える請求項１に記載の梱包具。
【請求項２５】
前記ベースが、木材、加工積層木材、プラスチック、複合材、及び金属のうちの一つ以上である請求項１に記載の梱包具。
【請求項２６】
第一の隆起部および第二の隆起部を有するベース；
それぞれが複数のスロットおよび溝を有する端部；および
前記ベースの上、かつ、第一及び第二の隆起部の外側に配置されるようになっているスリーブ；
を含み、前記溝の各々が第一の隆起部の一つを受容するようになっており、前記スロットの各々が第二の隆起部の一つを受容するようになっており、前記スリーブ要素の少なくとも一部分及び前記端部の少なくとも一部分が波形材を含む梱包具。
【請求項２７】
頂部と４つの側部を備えたトップをさらに備える請求項２６に記載の梱包具。
【請求項２８】
押え具をさらに備える請求項２７に記載の梱包具。
【請求項２９】
前記端部が、それぞれ、芯体が突出する開口部を備える請求項２６に記載の梱包具。
【請求項３０】
前記芯体の少なくとも一部分が中空である請求項２９に記載の梱包具。
【請求項３１】
前記芯体は、当該芯体の内部に配置された輸送のための物品を含む請求項３０に記載の梱包具。
【請求項３２】
さらにエンドキャップ・カバーを備え、それが前記芯体の端面を覆うようになっている請求項２６に記載の梱包具。
【請求項３３】
エンドキャップをさらに備え、当該エンドキャップが前記芯体の端面を覆うようになっている請求項２６に記載の梱包具。
【請求項３４】
前記エンドキャップがねじ、スナップ、又は締まりばめ手段の一つ以上を備える請求項３３に記載の梱包具。
【請求項３５】
前記スリーブが、前記芯体の断面の形と実質的に合致する開口部をさらに備える請求項２９に記載の梱包具。
【請求項３６】
前記スリーブがさらに開口部を備え、前記端部の開口部と共に実質的に円形の開口部を形成する請求項２９に記載の梱包具。
【請求項３７】
は、段ボール；波形プラスチック；波形プラスチックと木材の複合材；集成材；プラスチック；複合材；及び金属のうちの一つ以上である請求項２６に記載の梱包具。
【請求項３８】
前記芯体は、当該芯体の上に配置された輸送のための物品を有する請求項２９に記載の梱包具。
【請求項３９】
前記物品が前記芯体の周りに実質的に円筒形に巻かれている請求項３０に記載の梱包具。
【請求項４０】
前記端部がそれぞれ頂部と底部を有し、スロットおよび溝が底部に存在する請求項２６に記載の梱包具。
【請求項４１】
前記端部の底部のスロットの各々が前記第一の隆起部の一つを受容するようになっている請求項４０に記載の梱包具。
【請求項４２】
前記端部の底部の溝の各々が前記第二の隆起部の一つを受容するようになっている請求項４０に記載の梱包具。
【請求項４３】
前記梱包具の周りに配置される周辺拘束機構をさらに備える請求項２６に記載の梱包具。
【発明の詳細な説明】
【技術分野】
【０００１】
本発明の実施態様は梱包具に関する。
【背景技術】
【０００２】
安全な輸送のために製品を梱包することは、輸送する製品のタイプに応じて、多くの異なる材料を用いていろいろな仕方で行われる。例えば、光学フィルムはしばしば長尺シートで製造される。シートは、輸送のために、円筒状の芯体に巻かれ、箱型の梱包に入れられることがある。しばしば、芯体は梱包の対向する両端部に取りつけられる。この配置は、巻かれたフィルムが梱包の底部と接触することを防ぐ。輸送のためのフィルムのロールは1000 lbs（ほぼ450 kgの重量）を超えることがあり、フィルムのロールにその自重がかかると、又は梱包の底部に接触すると、ロールが圧力によりへこみ又はくぼんで損傷する可能性がある。多くの用途で、そのようなことは避けなければならない。
【０００３】
しばしば、光学フィルムの梱包は、金属や木材などの材料で組み立てられる箱型梱包を用いて行われる。梱包が輸送された後、受領者はロールを取り出して箱を返送して発送者が再利用できるようにしなければならない。すなわち、工具を用いて梱包を開き、箱を発送者に返送することが経済的に可能なほど十分な数になるまで保存しておかなければならない。
【０００４】
梱包の箱を保存して返送しなければならないということが後方業務として厄介であることに加えて、従来知られている梱包方法のコストと複雑さも大きな欠点になっている。コストに関して言えば、箱を返送するコストは許容できないほどになることがある。複雑さに関して言えば、従来の梱包の箱を開いてロールを取り出すために必要な工具と労力のために、従来知られている箱は望ましいものではない。
【発明の開示】
【発明が解決しようとする課題】
【０００５】
したがって、必要なものは、少なくとも上述のような従来の梱包用の箱の欠点を解消できる梱包具である。
【課題を解決するための手段】
【０００６】
例示的一実施態様では、梱包具は、第一の隆起部および第二の隆起部を有するベースを備え、第一の隆起部は実質的に第二の隆起部に対して直角である。この梱包具はまた、端部を備え、その各々は複数のスロットと溝を有し、各溝は第一の隆起部の一つを受容するようになっており、各スロットは第二の隆起部の一つを受容するようになっている。さらに、当該梱包具はスリーブを備え、このスリーブはベース上であって第一の隆起部の内側に配置されるようになっている。具体的一実施態様ではスリーブの少なくとも一部分及び端部の少なくとも一部分は波形材（corrugated material）を含む。
【０００７】
別の例示的一実施態様では、梱包具は第一の隆起部および第二の隆起部を有するベースを備える。この梱包具はまた、端部を備え、その各々は複数のスロットと溝を有する。各溝は第一の隆起部の一つを受容するようになっており、各スロットは第二の隆起部の一つを受容するようになっている。この梱包具はまた、スリーブを備え、このスリーブはベース上であって第一の隆起部と第二の隆起部の外側に配置されるようになっている。スリーブ要素の少なくとも一部分及び端部の少なくとも一部分は波形材を含む。
【０００８】
本発明は、以下の詳細な説明を、添付図面を参照しながら読むことによって最も良く理解される。いろいろな特徴部分は必ずしも正確なスケールで描かれていないということを強調しておきたい。実際、説明を分かり易くするために、寸法は任意に大きく又は小さくしていることがある。
【発明を実施するための最良の形態】
【０００９】
以下の詳細な説明では、本発明の十分な理解が得られるように具体的な細部を開示した例示的態様を、限定のためではなく説明のために記述する。しかし、本発明の開示によって利益を得る当業者には、ここに開示される細部とは異なる他の実施態様によっても本発明は実施できるということは明らかであろう。さらに、例示的態様の説明を分かりにくくしないために周知の装置や方法の説明を省くことがある。そのような方法や装置は、明らかに例示的実施態様を実施する際に本発明者の考慮に入っている。可能な場合はいつも、全体にわたって同じ参照符号は同じような特徴を指す。
【００１０】
簡単に言うと、例示的実施態様に記載されているように、物資を輸送するための梱包であって、組み立てるために実質的に何も工具を必要とせず、速やかな組立と分解が可能であり、ロール状物を輸送するのに十分な強度を有する梱包が記載される。さらに、分解すると、箱はコンパクトなサイズになり、すべての構成部品を同封して容易に保存される。例示的一実施態様では、物資を円筒又は筒状の要素（ここではしばしば、芯体と呼ぶ）上に配置してその物資のロールを形成する。
【００１１】
例示的実施態様について話を続けると、そのロール状物は、箱に入れられる最大サイズまでのいろいろなサイズに形成することができる。もちろん、これは例示的なものに過ぎず。収容される他の物品は物理的な高さがもっと大きいことも、もっと小さいこともある。
【００１２】
例えば、この梱包具に収められる製品は、光学フィルム、アセテート、布帛、薄い金属、紙などのロール、又はその他の輸送のためにロールにできるものである。さらに、輸送される物品は、中心の筒状及び／又は円筒状のシャフトのまわりに組み立てることができるエンジン部品やその他の機械部品も含む。
【００１３】
好適には、例示的実施態様の梱包は、十分な強度を有するが、発送者に返送するというよりもむしろつぶして容易にリサイクルされる段ボールなどの波形材を含む。これらの利点やその他の利点は、本明細書の開示によって益される当業者には明らかであろう。本明細書で用いる場合、「波形材」とは、少なくとも一方の面が実質的に平行な交番する隆起部と溝部、例えば、当業者には理解されるような折り目又はひだを含む少なくとも１つの面を有する材料である。
【００１４】
図１a−１hは、例示的実施態様にかかる梱包１００のいろいろな構成部品を示す斜視図である。これらの構成部品は、組み立てられると、図１gに完成された形で示されている梱包１００を構成する。
【００１５】
まず図１aを参照すると、ベース１１３は支持部１０１を備え、この支持体の上にプラットフォーム１０２が配置されている。プラットフォーム１０２は、その上に配置された第一の隆起部１０３および第二の隆起部１０４を有する。図１aを見れば分かるように、第一の隆起部１０３は互いに実質的に平行であり、それぞれが第二の隆起部１０４に対して実質的に直交し、第二の隆起部１０４は互いに実質的に平行である。図１a−１hに示された例示的実施態様では、ベース１１３は実質的に長方形である。しかし、ベース１１３（及び梱包１００）は、図示されたものと異なる形であっても良い。例えば、ベースは実質的に正方形であっても良い。もちろん、発送者の必要によっては他の形も可能であり、隆起部も上で述べたように平行で直交している必要はない。それよりも、この説明が続けば明らかになるように、隆起部は溝及びスロットと係合して梱包に構造的な強度を与え、工具なしで迅速に組み立て足り分解したりできるようにしなければならない。
【００１６】
例示的実施態様では、支持部１０１，プラットフォーム１０２、及び第一と第二の隆起部１０３と１０４は、それぞれ木材で作られる。例えば、支持部と隆起部を４×４のウッドビームと２×４のウッドプランクで作り、プラットフォーム１０２を合板にしてもよい。もちろん、木材の使用は単に一例であり、それだけに限定されないがその他の材料、例えば、加工積層木材（engineered and laminated wood materials）、プラスチック、金属、グラスファイバー、ならびに他の複合材、押出プラスチック、及び“プラスチック集積材（plastic lumber）”など、を用いてベース１１３の構成部品を形成することができる。
【００１７】
図１bは、一端に端部１０５が配置されたベース１１３を示す。端部１０５は、少なくとも一つのスロット（slot）１０６と少なくとも一つの開口部１０７を備える。図２には、端部１０５が少なくとも一つの溝１１２も含むことが詳しく示されている。スロット１０６と溝１１２は、また、端部１０５の対向端にも配置されていることに注意したい。図１bに戻ると、スロット１０６は第二の隆起部１０４と係合する。このため、スロット１０６は第二の隆起部１０４と係合するように位置し、その深さは第二の隆起部１０４の高さ（例えば、２×４が用いられる場合は4インチ）である。端部１０５の下方部分の溝１１２は、第一の隆起部１０３の上に配置されて第一の隆起部と係合する。このようにして底部１１３の面における構造的支持が得られる。例えば、ｘ方向が第一の隆起部１０３と平行であり、ｙ方向が第二の隆起部１０４と平行であるなら、構造的支持はスロット１０６と溝１１２によってそれぞれ与えられる。
【００１８】
例示的実施態様では、端部１０５は波形材から構成される。材料としては、例えば段ボール（紙をベースとする）があげられ、これは多層複合材（multi-ply）であっても良いが、それだけに限定されない。あるいはまた、波形プラスチック、ポリマー、及び複合材を用いてもよい。さらにまた、十分な強度があり、つぶすことができ、パッケージ１００を実質的に工具なしで組み立てることができ、比較的安価である他の材料を用いることもできる。
【００１９】
図１cは、ベース１１３上に配置された別の端部１０５を示す。端部１０５のスロット１０６と溝１１２はそれぞれ第一及び第二の隆起部と係合する。図１dに示されているように、第二の端部を取りつけた後、輸送される物品１０８が二つの端部１０５の間に配置される。物品１０８は、例では、円筒（すなわち、ロール）形をしており、芯体１１４上に配置されている。しかし、物品１０８は、円筒形である必要はない。物品１０８は、いろいろな形のうちの一つであって良い。同様に、芯体１１４も円筒以外の形であっても良い。別の形としては、楕円形や長方形があるが、それだけに限定されない。最後に、物品１０８は梱包具１００の全長にわたって伸びている必要はないということが注意される。物品１０８は、内側の長さの一部分、従って芯体１１４の長さの一部分だけに伸びていてもよい。この場合、芯体１１４には、物品の端に隣接して固定具又はスペーサー（図示せず）を組み込んで輸送の間に物品が移動しないようにするのがよい。
【００２０】
図１eに示されているように、芯体１１４は開口部１１７に少し突き出し、開口部は端部によってそれを支持する。物品の重量は1200 lbsのオーダーであるが、これが相当な力を及ぼし、この力は隆起部１０３と１０４に係合するスロット１０６と溝１１２に伝達される。スロットおよび溝と溝との係合が、物品の重量による力の下で梱包構造に安定性を与える。
【００２１】
図１eは、ベース１１３上で端部１０５の間に配置されたスリーブ１０９を有する梱包を示す。スリーブ１０９は、図３にもっと詳しく示されている。スリーブ１０９は、図示されているように各端及び頂部並びに底部にスロット１０６を有する。スリーブはまた開口部３０１を備え、これは端部１０５の開口部１０７と共に実質的に円形の開口部を形成し、芯体１１４がそれに突き出る。あるいはまた、スリーブは端部と係合したとき他の形の開口部、例えば長方形、楕円形、正方形、三角形、スロット状などの開口部を形成してもよい。最後に、スリーブ１０９は側部３０２を有し、それが梱包の側部を構成する。
【００２２】
例示的実施態様では、端部１０５と同様に、スリーブ１０９も波形材から構成される。材料の例としては、段ボール（紙をベースとする）があげられ、これは多層複合材（multi-ply）であっても良い。あるいはまた、波形プラスチック、ポリマー、及び複合材を用いてもよい。さらにまた、十分な強度があり、つぶすことができ、梱包１００を実質的に工具なしで組み立てることができ、比較的安価である他の材料を用いることもできる。
【００２３】
スリーブ１０９はベース１１３上に配置され、そのスロット１０６は第二の隆起部１０４と係合する。さらに、この例示的実施態様では、側部３０２が第二の隆起部１０４の外側、かつ、ベース上に配置される。側部３０２は隆起部１０４の内側に配置することもできるから、これは必要不可欠ではないことに注意したい。この場合、説明が続くと明らかになるが、梱包のトップの支持フレームを省くことができる。
【００２４】
図１fは、ほぼ完成した形の梱包１００を示す斜視図である。これまでに記述した他の要素に加えて、梱包は押え具（hold down element）１１０を備え、この押え具は芯体の上に配置される。別の押え具１１０が梱包の対向端に（すなわち、他方の端部１０５の側面に）同じような仕方で配置される。図４にさらに詳しく示されているように、押え具１１０は、図示のように、曲面４０１と溝４０２を含む。溝は、ここで説明されるトップの隆起部と係合するようになっている；そして曲面４０１は、芯体が突出している実質的に円形の梱包開口部を補完するようになっている。あるいはまた、曲面４０１は、長方形、楕円形、正方形、三角形、及びスロット状の構造その他の形の、梱包開口部を補完するようになっている。溝４０２とトップの隆起部とのかみ合わせは梱包のトップに安定性を与える。
【００２５】
例示的実施態様では、端部１０５やスリーブ１０９と同様に、押え具１１０も波形材から構成される。材料の例としては、段ボール（紙をベースとする）が挙げられ、これは多層複合材（multi-ply）であっても良いが、それだけに限定されない。あるいはまた、波形プラスチック、ポリマー、及び複合材を用いることもできる。さらにまた、十分な強度があり、つぶすことができ、梱包１００を実質的に工具なしで組み立てることができ、比較的安価である他の材料を用いることもできる。
【００２６】
図１gは、梱包１００の最終的な組み立てを示し、そこにはトップ１１１も含まれている。図５にさらに詳しく示されているように、トップは第三の隆起部５０１と第四の隆起部５０２を備え、これらはトップ面５０３上に配置されている。ベース１１３の隆起部と同様に、第三の隆起部５０１は互いに実質的に平行であり、第四の隆起部５０２に対して実質的に直角であり、第四の隆起部５０２は互いに実質的に平行である。
【００２７】
トップ１１１は、第三の隆起部５０１と第四の隆起部５０２を含むフレーム集合体を備える。ベースの隆起部と同様に、これらの隆起部は比較的強度が大きく比較的安価な材料、例えば木材で好適に製造できる。そのような訳で、ある例示的一実施態様では、隆起部５０１、５０２は２×４木材で作られる。もちろん、これは単なる一例であり、隆起部１０３と１０４に用いることができるとされた材料は、隆起部５０１と５０２にも用いることができるということを強調しておきたい。さらに、トップ面５０３は、上述したような波形材で、又は波形材の代替物として上に挙げた他の材料で製造できる。図５の実施態様では、トップ面５０３は隆起部５０１と５０２に接着されて示されているが、別の例示的実施態様では、トップ１１１はトップ面５０３とは別に隆起部５０１と５０２を含む。
【００２８】
この例示的実施態様では、トップ１１１の第三の隆起部５０１は押え具１１０の溝４０２に配置され、第四の隆起部５０２は端部１０５とスリーブ１０９のスロット１０６に配置される。ベースの隆起部と同様に、隆起部５０１と５０２もx-y平面における構造的な剛性および支持を与える。ここで、隆起部５０１がｘ方向にある。
【００２９】
別の実施態様では、代わりに、第三及び第四の隆起部５０１と５０２は、互いに接着されて、端部１０５のスロット１０６と溝１１２，並びにスリーブ１０９のスロット１０６に配置される。第三及び第四の隆起部５０１と５０２を配置した後で、トップ面５０３をスリーブ１０９と端部１０５の上に定位させて整列させることができる。
【００３０】
トップ１１１を配置すると、梱包は完成である。輸送の前に、図１hに示されているように、構造を保全するための別の手段として梱包１００の周りに固定バンド又はストラップ１１５をかけてもよい。
【００３１】
別の例示的実施態様による梱包具１００が図６aから６dまでに示されており、それを参照して説明する。梱包具１００は、図１a−１dに示されているものと同様の部品の組を含む。この例示的実施態様の特徴の多くは、前述した例示的実施態様に関して記述した特徴と共通であり、この例示的実施態様の説明が分かりにくくなることを避けるためにそのような共通の特徴についての説明はしばしば省略される。
【００３２】
本例示的実施態様では、図６aに示されているように、トップ７１１の隆起部５０１と５０２は省かれている。このために、隆起部は、端部１０５とスリーブ１０９を支持することによって梱包１００のトップ部分に構造的安定性を与える。そのようなものとして、隆起部１０３，１０４及び５０１，５０２が、上述のように構成部品のスロットと溝によって構造的な支持を与える。しかし、本例示的実施態様では、図６aに示されているように、トップ７１１は実質的にフラットなトップ面と、やはり実質的にフラットな縁部７１２を有し、輸送用の箱のスリーブ１０９と端部１０５にスライドして嵌合するように構成されている。図６bに示されているように、スリーブ１０９はベース１１３上に、側面３０２が端部１０５の外側になるように配置される。スリーブ１０９が、端部１０５及び隆起部１０３，１０４と組み合わされてx-y平面での適当な支持を与えるので、隆起部５０１，５０２は必要がなく、省くことができる。
【００３３】
図７と８にもっとはっきりと示されているように、端部７０５と押え具７１０は、上述した例示的実施態様の端部１０５と押え具１１０と同様な特徴を有する。異なる図で同じ番号を付けた品目は、同じ類似特徴を指す。しかし、端部７０５の上面は溝を含まないが、下面は前述したような溝を含むということが注目される。さらに、押え具１１０の上面は溝を含まないが、下面は前述したような曲面を含む。
【００３４】
図６cに示されているように、トップ７１１を配置すると梱包は完成する。輸送の前に、図６dに示されているように、固定バンド１１５又はストラップを梱包１００の周囲に構造を保全するための別の手段として取りつけることができる。
【００３５】
例示的実施態様で説明したように、円筒状の芯体は梱包の端部に支持される。図９は、例示的実施態様にかかる芯体６０１を示している。芯体６０１は、例示的実施態様に関して上で説明した芯体１１４のように用いることができる。本例示的態様では、芯体６０１は円筒形であり、実質的に中空である。芯体６０１の円筒状の形は一例に過ぎないということが注意される。実際、芯体６０１は楕円及び長方形など、それだけに限定されないが、他の形であってもよい。もちろん輸送される物品によっては、さらに他の形の芯体を用いることもできる。さらに芯体６０１の一部又は全部が中実（solid）又は別の形で中空でないこともあり得る。例えば、芯体は、構造的な支持部又はウェッビング（webbing）を有することもある；又は、各端の近くの点まで中実であり、以下で説明するエンドキャップを結合しやすくすることもある。
【００３６】
芯体６０１は、円筒を形成する壁材６０２と、中空円筒内の空間６０３を含む。上述のように、壁材６０２によって規定される空間６０３は芯体６０１の全長にわたっていても、又はその一部分であってもよい。この空間６０３に梱包を開かなくても容易にアクセスできると好都合である。これによって、輸送物、輸送される物品のサンプル、その他の物品を空間６０３に挿入して、輸送中に、および、受領者が受け取ったときに、容易にアクセスできるようになる。ごみ、ほこり、破片、水、その他の異物からこれらの輸送物、サンプル、及びその他の物品、並びに空間６０３を保護するために、エンドキャップ６０４が円筒状の芯体の両端に設けられる。エンドキャップと芯体６０１は、プラスチック、金属、複合材、波形材、例えばボール紙や圧縮紙、及び木製品を用いて形成することができ、エンドキャップは図示したように中空の円筒形芯体６０１の内側の面にすべりばめで係合する。あるいはまた、ねじ、又はスナップ、又は締まりばめなどの手段でもよい。これらの手段は、当業者の視野の中に十分に入っているものである。さらに、梱包関係の当業者には周知の物理的な表面係合手段を用いることもできる。
【００３７】
最後に、芯体６０１には、要素／物品が内部に、その上に、又はその組み合わせで配置されると言うことが注意される。それらの要素は、梱包紙、付属品、及び工具などであるが、それだけに限定されない。
【００３８】
例示された実施態様によれば、物品を輸送するための梱包は十分な構造的な支持を備えている。梱包は比較的安価な材料で有利に作ることができ、実質的に工具なしで組立てたり、分解したりできる。さらに、輸送後に梱包をつぶしてリサイクリングのために保存できる。いろいろな方法、材料、構成部品、及びパラメーターは例として述べたものであり、限定的な意味はない。
【図面の簡単な説明】
【００３９】
【図１ａ】図１aは、例示的一実施態様にかかる梱包のベースを示す斜視図である。
【図１ｂ】図１bは、例示的一実施態様に従って端部の一方が取りつけられた梱包のベースを示す斜視図である。
【図１ｃ】図１cは、例示的一実施態様に従って両方の端部が取り付けられた梱包のベースを示す斜視図である。
【図１ｄ】図１dは、例示的一実施態様に従って両方の端部がベースに取り付けられ、ロール状物がそこに配置された梱包のベースを示す斜視図である。
【図１ｅ】図１eは、例示的一実施態様に従って、ロール状物がそこに配置された梱包のベース、端部、及びスリーブを示す斜視図である。
【図１ｆ】図１fは、例示的一実施態様に従って、ロール状物がそこに配置された梱包のベース、端部、スリーブ、及び押え具を示す斜視図である。
【図１ｇ】図１gは、例示的一実施態様にかかる梱包を示す斜視図である。
【図１ｈ】図１hは、例示的一実施態様にかかる梱包を示す斜視図である。
【図２】図２は、例示的一実施態様にかかる端部を示す斜視図である。
【図３】図３は、例示的一実施態様にかかるスリーブを示す斜視図である。
【図４】図４は、例示的一実施態様にかかる押え具を示す斜視図である。
【図５】図５は、例示的一実施態様にかかるトップを示す斜視図である。
【図６ａ】図６aは、別の例示的一実施態様にかかるトップを示す斜視図である。
【図６ｂ】図６bは、例示的一実施態様に従って、ロール状物がそこに配置された梱包のベース、端部、スリーブ、及び押え具を有する別の例示的一態様を示す斜視図である。
【図６ｃ】図６cは、例示的一実施態様にかかる梱包を示す斜視図である。
【図６ｄ】図６dは、例示的一実施態様にかかる梱包を示す斜視図である。
【図７】図７は、例示的一実施態様にかかる端部を示す斜視図である。
【図８】図８は、例示的一実施態様にかかる押え具を示す斜視図である。
【図９】図９は、エンドキャップを有するようになっている芯体を示す斜視図である。
【符号の説明】
【００４０】
１００    梱包
１０１    支持部
１０２    プラットフォーム
１０３    第一の隆起部
１０４    第二の隆起部
１０５    端部
１０６    スロット
１０７    開口部
１０８    物品
１０９    スリーブ
１１０    押え具
１１１    トップ
１１２    溝
１１３    ベース
１１４    芯体
１１５    固定バンド
３０１    開口部
３０２    側部
４０１    曲面
４０２    溝
５０１    第三の隆起部
５０２    第四の隆起部
５０３    トップ面
６０１    芯体
６０２    壁材
６０３    空間
６０４    エンドキャップ
７０５    端部
７１０    押え具
７１１    上蓋
７１２    縁部
【図１ａ】
2008515727.tif 000003
【図１ｂ】
2008515727.tif 000004
【図１ｃ】
2008515727.tif 000005
【図１ｄ】
2008515727.tif 000006
【図１ｅ】
2008515727.tif 000007
【図１ｆ】
2008515727.tif 000008
【図１ｇ】
2008515727.tif 000009
【図１ｈ】
2008515727.tif 000010
【図２】
2008515727.tif 000011
【図３】
2008515727.tif 000012
【図４】
2008515727.tif 000013
【図５】
2008515727.tif 000014
【図６ａ】
2008515727.tif 000015
【図６ｂ】
2008515727.tif 000016
【図６ｃ】
2008515727.tif 000017
【図６ｄ】
2008515727.tif 000018
【図７】
2008515727.tif 000019
【図８】
2008515727.tif 000020
【図９】
2008515727.tif 000021
【国際調査報告】
2008515727.tif 000022
2008515727.tif 000023
2008515727.tif 000024